(57)【特許請求の範囲】
【請求項１】
床スラブと床材との間に配管スペースとしての床下空間を有する多層階建物において、居住空間単位ごとに各住居空間単位の隅角部にパイプシャフトが設けられており、前記居住空間単位に対応する床スラブの上面全体に前記パイプシャフトに向かう下り勾配が形成されており、前記床下空間に漏水が生じた場合に、漏水が前記床スラブの上面を前記勾配に沿って前記パイプシャフトに向かって流下し、前記パイプシャフト内の竪管に流れ込むことなくそのまま前記パイプシャフトに排水される構造としたことを特徴とする多層階建物の床下構造。
【請求項２】
請求項１記載の床下構造において、前記床スラブの上面に床スラブ内への漏水の浸透を防止するための防水処理が施されていることを特徴とする多層階建物の床下構造。
【請求項３】
請求項１または２記載の床下構造において、前記パイプシャフトは２以上の前記居住空間単位の境界位置に共用のパイプシャフトとして設けられていることを特徴とする多層階建物の床下構造。
【請求項４】
請求項１〜３の何れかに記載の床下構造において、前記床下空間に漏水位置を検知するための漏水センサが設置されていることを特徴とする多層階建物の床下構造。
【請求項５】
請求項１〜４に何れかに記載の床下構造において、前記床下空間の高さを通常の大人が侵入可能な高さとしてあることを特徴とする多層階建物の床下構造。
【発明の詳細な説明】
【技術分野】
【０００１】
本発明は、集合住宅、オフィスビルなどの多層階建物の床下構造に関するものであり、特に床下空間における漏水などに効果的に対処できるようにしたものである。
【背景技術】
【０００２】
多層階建物においては、上階からの漏水が大きな問題となっているが、原因の特定が難しい場合も多く、原因が特定できないと根本的な解決が困難となり、建物の劣化にもつながる。
【０００３】
特許文献１には、バルコニー、外廊下等に適用される防水床として、板状からなる床構造材の上部に、一方向に傾斜する傾斜面を上面にした床下地材を敷き詰め、その上に床板、防水シートを重ねてなる排水勾配が形成された防水床が開示されている。
【０００４】
特許文献２には、出隅部または入隅部において、厚みがほぼ均一な床下地材を水平に敷き込んで、その床下地材上に、厚みを異ならしめて勾配を持たせた勾配断熱材を敷設して水勾配を施すようにした住宅の廊下が開示されている。
【０００５】
特許文献３には、住宅の床下、壁裏、天井裏の状態、例えば水道管の破裂による漏水を監視するために、網目を形成するように複数本の信号線を敷設し、その信号線に等間隔に複数のセンサを取付け、各センサが測定結果を識別情報と共に表示手段へ送信するようにした状態監視装置が開示されている。
【先行技術文献】
【特許文献】
【０００６】
【特許文献１】特開２０００−１２０１６０号公報
【特許文献２】特開２００３−０１３５８６号公報
【特許文献３】特開２０１１−１０６２１５号公報
【発明の概要】
【発明が解決しようとする課題】
【０００７】
特許文献１、２に記載の発明は、床下ではなく、バルコニーや外廊下等における排水性の向上を図ったものであり、位置や原因の特定が難しい床下構造にそのまま適用できるものではない。
【０００８】
特許文献３記載の発明は、床下などのおける漏水位置をできるだけ正確に特定しようとするものであるが、漏水自体を防止できるものではない。
【０００９】
本発明は、漏水自体は生じ得ることを前提に、漏水が生じた場合でも床下構造における排水性を改善することで、漏水による被害や建物の劣化を防止することができる多層階建物の床下構造を提供することを目的としたものである。
【課題を解決するための手段】
【００１０】
本発明の多層階建物の床下構造は、床スラブと床材との間に配管スペースとしての床下空間を有する多層階建物において、居住空間単位ごとに各住居空間単位の隅角部にパイプシャフトが設けられており、居住空間単位に対応する床スラブの上面全体にパイプシャフトに向かう下り勾配が形成されており、床下空間に漏水が生じた場合に、漏水が前記床スラブの上面を前記勾配に沿ってパイプシャフトに向かって流下し、パイプシャフト内の竪管に流れ込むことなくそのままパイプシャフトに排水される構造としたことを特徴とする。
【００１１】
従来、床スラブの上面は通常は水平であり、床下空間に給水管や排水管が設置されている場合、通常は排水管などに勾配を設け、共用部の竪管に連結している。そのため、給水管や排水管自体あるいは継手部分などから漏水が生じると、スラブの上面に漏水が溜まり下階に被害を及ぼすことになる。また、上階の床で水などをこぼした場合にもスラブの上面に水が流れ込み、下階に被害を及ぼすことになる。
【００１２】
また、従来、排水管などによる特定の排水経路については、床スラブの上面に溝を設ける場合もあるが、溝が設けられていない位置では漏水を解決することができず、漏水があった場合の漏水の位置の特定も困難である。
【００１３】
これに対し、本発明の床下構造では、居住空間単位に対応する床スラブの上面全体にパイプシャフトに向かう下り勾配が形成されているため、漏水の位置にかかわらず、漏水がパイプシャフトに向かって流れることで下階への被害を防止することができる。
【００１４】
また、漏水の原因との関係でも、給水管や排水管からの漏水だけでなく、床に水をこぼした場合や、台風や豪雨の際などに建物の外壁部分あるいはサッシ部分などから侵入した雨水なども床スラブ上面の傾斜に沿って流下させることができる。
【００１５】
なお、漏水などの水の量が少ない場合はパイプシャフトへの流下途中で蒸発したり、一部がスラブのコンクリートに浸透することも考えられる。ただし、スラブへの漏水などの浸透は好ましくないため、スラブ上面にスラブ内への浸透を防止するための防水処理を施すことは有効である。
【００１６】
パイプシャフトは、本来のパイプシャフトの用途として、給水管や排水管、ガス管などを通すダクトスペースとしての機能があるが、本発明では床スラブの上面を傾斜に沿って流下する漏水などをそのまま排水する機能を兼用させている。ただし、常時、水が流下するということではなく、本来はあってはならない漏水などが生じてしまった場合のリスク対策として機能させることができる。
【００１７】
また、本発明において、パイプシャフトは、２以上の前記居住空間単位の境界位置に共用のパイプシャフトとして設ければ、建物全体のパイプシャフトの数を抑えることができるとともに、居住空間単位ごとパイプシャフトに向かう下り勾配を形成する必要があるため、パイプシャフトを境界位置に設けることで設計の基準が明確になるという利点がある。
【００１８】
本発明の床下構造においては、床下空間に漏水位置を検知するための漏水センサを設置することができる。漏水センサの形態や設置位置は特に限定されないが、本発明の床下構造においては居住空間単位ごとパイプシャフトに向かう下り勾配が形成されているため、漏水などの流れを特定しやすいという利点がある。この場合、漏水センサを配管に設置しなくても、床スラブ上面の水を検出することで比較的簡易に漏水位置や漏水原因を特定することができる。
【００１９】
また、本発明において、床下空間の高さは通常の大人が侵入可能な高さ、具体的には４５ｃｍ以上、好ましくは６０〜７０ｃｍ程度の高さとし、作業員が床下内部に入り込めるようにすることもできる。
【００２０】
建物の階高を抑えて建物の建設コストを抑制するという観点からは、床下空間をできるだけ低く抑える設計が一般的であるが、本発明の床構造の場合、漏水位置の特定などが比較的容易であるため、作業員が床下内部に入り込めるようにすれば、迅速な修理補修が可能となる。
【発明の効果】
【００２１】
本発明の床下構造では、居住空間単位に対応する床スラブの上面全体にパイプシャフトに向かう下り勾配が形成されているため、漏水の位置にかかわらず、漏水がパイプシャフトに向かって流れることで下階への被害を防止することができる。
【００２２】
また、給水管や排水管からの漏水だけでなく、床に水をこぼした場合や、台風や豪雨の際などに建物の外壁部分あるいはサッシ部分などから侵入した雨水なども床スラブ上面の傾斜に沿って流下させることができる。
【００２３】
本発明の床下構造においては居住空間単位ごとパイプシャフトに向かう下り勾配が形成されているため、床スラブ上面の水を検出することで比較的簡易に漏水位置や漏水原因を特定することができる。
【００２４】
床下空間の高さを通常の大人が侵入可能な高さとした場合には、作業員が床下内部に入り込んで、迅速な修理補修を行うことができる。また、パイプシャフトを通じて、作業員が住戸の居住空間に入らずに作業を行うようにすることもできる。
【図面の簡単な説明】
【００２５】
【図１】本発明の床下構造の一実施形態を概念的に示した平断面図である。
【図２】本発明の床下構造を概念的に示した立断面図である。
【発明を実施するための形態】
【００２６】
以下、本発明を添付した図面に基づいて説明する。
図１は本発明の床下構造の一実施形態を概念的に示した平断面図、図２は居住空間単位としての特定の住戸における立断面図である。
【００２７】
この例では、図１に示すように多層階建物の中央部にエレベータや階段を備えたコア部１が形成され、コア部１の周囲に廊下２があり、その外周に複数の住戸３が配置されている。
【００２８】
隣り合う２つの住戸３の境界位置の廊下２寄りには多層階建物を縦に貫くパイプシャフト４が形成されている。
【００２９】
住戸３ごと、すなわち居住空間単位ごと、床スラブ１１と床材１２との間に形成される配管スペースとしての床下空間１３における床スラブ１１上面には、パイプシャフト４に向かう勾配が形成されている。図１、図２の各住戸３内の矢線は床スラブ１１上面における下り勾配の方向を示している。
【００３０】
すなわち、本実施形態では、全体的には各住戸３の外壁側からコア部１を取り巻く廊下２側に向けて床スラブ１１の上面が下り勾配となり、廊下２側に設けられたパイプシャフト４に漏水などが流れ落ちる形態となっている。
【００３１】
このような床下構造において、万が一床下空間１３に漏水が発生した場合、例えば給水管２１あるいは排水管２２からの漏水が発生した場合、住戸３内で水をこぼした場合、住戸３内の水回りからの溢水があった場合、台風や豪雨時の水の侵入があった場合などにおいて、床スラブ１１上面を伝って流れる水は下り勾配に沿って、パイプシャフト４内に流れ落ちるため、漏水などにより下階への被害を防止することができる。
【００３２】
また、漏水などが床スラブ１１上面に溜まることがないため、建物躯体の劣化を防止することができる。
【００３３】
パイプシャフト４は、隣り合う２つの住戸３の境界位置に共用のパイプシャフトとして設けているため、建物全体のパイプシャフト４の数を抑えることができる。また、床スラブ１１上面の傾斜を、居住空間単位ごとパイプシャフト４に向かう下り勾配とするにあたり、隣り合う２つ住戸３をそれぞれ独立させた形で勾配をつけることができるため、設計が容易である。
【００３４】
本実施形態においては、この床下構造における床下空間１３の高さは、図２に示すように、通常の大人が侵入可能な高さとしている。通常の大人が侵入可能な高さとしては、例えば４５ｃｍ以上、できれば６０〜７０ｃｍとすることが望ましい。
【００３５】
通常の大人が侵入可能な高さ以上とすることで、給水管や排水管などから万が一の漏水があった場合にも、パイプシャフト４位置などから作業員３１が床下空間に入って、修理補修を行うことができる。また、パイプシャフト４への入口を例えば各階の廊下２側に設ければ、作業員３１が住戸３の居住空間に入らずに作業を行うことができる。
【符号の説明】
【００３６】
１…コア部、２…廊下、３…住戸、４…パイプシャフト、
１１…床スラブ、１２…床材、１３…床下空間、
２１…給水管、２２…排水管、
３１…作業員
【要約】      （修正有）【課題】万が一の漏水が発生した場合でも、漏水による被害や建物の劣化を防止することができる多層階建物の床下構造を提供する。【解決手段】床スラブ１１と床材１２との間に配管スペースとしての床下空間１３を有する多層階建物において、居住空間単位ごとにパイプシャフト４を設け、床スラブ１１の上面全体にパイプシャフト４に向かう下り勾配を設ける。床下空間１３に万が一の漏水が生じた場合でも、漏水が床スラブ１１上面の勾配に沿ってパイプシャフト４に向かって流下することで、漏水による下階への被害を防止することができる。また、漏水などが床スラブ１１上面に溜まることがないため、建物躯体の劣化を防止することができる。また、床スラブ１１上面の水を検出することで、比較的簡易に漏水位置や漏水原因を特定することができる。【選択図】図２【図１】
0006771850.tif 000002
【図２】
0006771850.tif 000003